(57)【要約】【課題】  最も手間と時間を要するデータ入力作業を自動化することにより、作業効率の向上と入力ミスを低減したＲＦＩＤタグ発行システムを提供する。【解決手段】  このＲＦＩＤタグ発行システム３００は、必要情報が記載された文書３０を光学的に読み取り、コンピュータが認識可能なテキストデータに変換するＯＣＲ３１と、必要情報が記載された文書をオペレータがマイクロフォン等により音声入力してテキストデータに変換する音声入力部３６と、このＯＣＲ３１又は音声入力部３６により変換されたテキストデータをモニタ３２に表示したり、システム全体を制御するＰＣ３３と、ＯＣＲ３１又は音声入力部３６により変換されたテキストデータをＲＦＩＤタグ２００に記録可能な電子データに変換して記録するタグ発行機３５と、このタグ発行機３５により発行されたＲＦＩＤタグ２００の電子データを読み取るリーダライタ１００と、ＯＣＲ３１又は音声入力部３６により変換されたテキストデータ３８とリーダライタ１００により読み取られた読取データ３７とを比較する比較器３４と、を備えて構成される。【選択図】  図３
2005276127.tif 000002
【特許請求の範囲】
【請求項１】
物品を管理する上で必要な管理情報を記録したＲＦＩＤタグを発行するＲＦＩＤタグ発行システムであって、
前記管理情報が記載された文書を光学的に読み取り、コンピュータが認識可能なテキストデータに変換する文字認識手段と、該文字認識手段により変換されたテキストデータを前記ＲＦＩＤタグに記録可能な電子データに変換して記録するＲＦＩＤタグ記録手段と、該ＲＦＩＤタグ記録手段により発行されたＲＦＩＤタグの電子データを読み取る読取手段と、前記文字認識手段により変換されたテキストデータと前記読取手段により読み取られた電子データとを比較するデータ比較手段と、を備えたことを特徴とするＲＦＩＤタグ発行システム。
【請求項２】
物品を管理する上で必要な管理情報を記録したＲＦＩＤタグを発行するＲＦＩＤタグ発行システムであって、
前記管理情報を音声入力してコンピュータが認識可能なテキストデータに変換する音声入力手段と、該音声入力手段により変換されたテキストデータを前記ＲＦＩＤタグに記録可能な電子データに変換して記録するＲＦＩＤタグ記録手段と、該ＲＦＩＤタグ記録手段により発行されたＲＦＩＤタグの電子データを読み取る読取手段と、前記音声入力手段により変換されたテキストデータと前記読取手段により読み取られた電子データとを比較するデータ比較手段と、を備えたことを特徴とするＲＦＩＤタグ発行システム。
【請求項３】
前記データ比較手段により前記テキストデータと電子データとを比較した結果、前記テキストデータと電子データのデータ内容が一致した場合、当該電子データが記録されているＲＦＩＤタグを発行可とすることを特徴とする請求項１又は２に記載のＲＦＩＤタグ発行システム。
【請求項４】
前記文字認識手段又は音声入力手段により変換されたテキストデータを表示する表示手段と、該表示手段に表示されたテキストデータを修正する修正手段と、を更に備えたことを特徴とする請求項１又は２に記載のＲＦＩＤタグ発行システム。
．
【発明の詳細な説明】
【技術分野】
【０００１】
本発明は、ＲＦＩＤタグ発行システムに関し、さらに詳しくは、ＲＦＩＤタグに記録するデータの入力方法を簡略化する技術に関するものである。
【背景技術】
【０００２】
近年、ＩＣカードと呼ばれる新しい情報記録媒体が市場に広く出回っている。ＩＣカードとは、クレジットカード、銀行カード、ポイントカード等のカード状あるいはシート状の形状を備え、カード内、或いはカード上にＩＣ（Integrated Circuit）が組み込まれているものを総称した名称である。このＩＣカードの応用として、構造的にはＩＣカードと全く同様なＲＦＩＤ（Radio Frequency Identification）タグを、ファイル及び書類に貼付して管理するファイル管理システムが注目されている。
しかし、ファイル管理システムでは予め管理対象となるファイル及び書類のタイトルデータや内容を入力してＲＦＩＤタグに記録する作業が必要となる。現在一般に販売されているＲＦＩＤタグ発行機は、そのデータをキーボードから人手により入力したり、予めデータが入力された媒体を使用して入力していた。しかし、この作業は、管理対象数が少なければ左程の問題はないが、管理対象数が多い場合は入力に多大の時間を要し、入力ミスが多く発生する可能性を含んでいる。
図５は従来のＲＦＩＤタグ発行システムの一例を示す構成図である。このＲＦＩＤタグ発行システム４００は、管理対象となるファイル及び書類のタイトルデータや内容を入力するキーボード４０と、キーボード４０から入力されたデータをモニタ４１に表示したり、タグ発行機４３のデータに変換するパーソナルコンピュータ（以下、ＰＣと記す）４２と、ＰＣ４２により変換された例えばＡＳＣＩＩコードをＲＦＩＤタグ４４に記録するタグ発行機４３と、を備えて構成される。
このシステムでは、図示しないオペレータが予め管理対象となるファイル及び書類のタイトルデータや内容を見ながらキーボード４０からデータを入力し、モニタ４１にその内容を表示させて確認する。その結果、内容が正しければＰＣ４２に対して記録スタートのコマンドを発行するように指示する。ＰＣ４２はその指示を受けとると、キーボード４０から入力されたデータをＡＳＣＩＩコードに変換してタグ発行機４３に送信し、タグ発行機４３によりＲＦＩＤタグ４４にＡＳＣＩＩコードを記録して発行する。そしてオペレータはこの動作を全てのＲＦＩＤタグへのデータ入力が完了するまで繰り返す。
また特開２００２−２５５１３８公報には、所定の物品にタグを取付ける作業台の上にタグを１枚ずつ排出するタグ排出機構と、作業台に埋設されたアンテナを有し、その作業台に排出されたタグに非接触で所定のデータを書込む書込手段とからなるタグ発行機について開示されている。
【特許文献１】特開２００２−２５５１３８公報
【発明の開示】
【発明が解決しようとする課題】
【０００３】
しかし、図５のＲＦＩＤタグ発行システム４００では、管理対象となるファイル及び書類のタイトルデータや内容は、キーボード４０からオペレータが入力しなければならず、多大の時間を要するといった問題がある。
また特許文献１に開示されている従来技術は、物品にタグを貼付する作業は自動的に行われるが、タグの内容を入力するのはオペレータであり、入力の手間がかかるといった問題は解決されていない。
本発明は、かかる課題に鑑み、最も手間と時間を要するデータ入力作業を自動化することにより、作業効率の向上と入力ミスを低減したＲＦＩＤタグ発行システムを提供することを目的とする。
【課題を解決するための手段】
【０００４】
本発明はかかる課題を解決するために、請求項１は、物品を管理する上で必要な管理情報を記録したＲＦＩＤタグを発行するＲＦＩＤタグ発行システムであって、前記管理情報が記載された文書を光学的に読み取り、コンピュータが認識可能なテキストデータに変換する文字認識手段と、該文字認識手段により変換されたテキストデータを前記ＲＦＩＤタグに記録可能な電子データに変換して記録するＲＦＩＤタグ記録手段と、該ＲＦＩＤタグ記録手段により発行されたＲＦＩＤタグの電子データを読み取る読取手段と、前記文字認識手段により変換されたテキストデータと前記読取手段により読み取られた電子データとを比較するデータ比較手段と、を備えたことを特徴とする。
本発明の最も大きな特徴は、データ入力手段として文字認識手段を用いた点である。この文字認識手段は例えば、ＯＣＲ（Optical Character Reader）を使用して紙に書かれている文字を読み取ってＰＣが認識可能なテキストデータに変換するものである。尚、管理情報とはＲＦＩＤタグを付した物品の、例えば認識番号や履歴情報等である。また、電子データとはテキストデータをＲＦＩＤタグに記録する、例えばＡＳＣＩＩコードに変換したデータを指す。以下、同様とする。
かかる発明によれば、管理情報が記載された文書を光学的に読み取り、コンピュータが認識可能なテキストデータに変換する文字認識手段と、この文字認識手段により変換されたテキストデータをＲＦＩＤタグに記録可能な電子データに変換して記録するＲＦＩＤタグ記録手段と、このＲＦＩＤタグ記録手段により発行されたＲＦＩＤタグの電子データを読み取る読取手段と、文字認識手段により変換されたテキストデータと読取手段により読み取られた電子データとを比較するデータ比較手段と、を備えているので、最も手間と時間を要するデータ入力作業を自動化することにより、作業効率の向上と入力ミスを低減することができる。
【０００５】
請求項２は、物品を管理する上で必要な管理情報を記録したＲＦＩＤタグを発行するＲＦＩＤタグ発行システムであって、前記管理情報を音声入力してコンピュータが認識可能なテキストデータに変換する音声入力手段と、該音声入力手段により変換されたテキストデータを前記ＲＦＩＤタグに記録可能な電子データに変換して記録するＲＦＩＤタグ記録手段と、該ＲＦＩＤタグ記録手段により発行されたＲＦＩＤタグの電子データを読み取る読取手段と、前記音声入力手段により変換されたテキストデータと前記読取手段により読み取られた電子データとを比較するデータ比較手段と、を備えたことを特徴とする。
本発明の最も大きな特徴は、データ入力手段に音声入力手段を用いた点である。この音声入力手段を使用して、紙に書かれている文字を音声により入力してＰＣが認識可能なテキストデータに変換するものである。
かかる発明によれば、物品を管理する上で必要な管理情報を記録したＲＦＩＤタグを発行するＲＦＩＤタグ発行システムであって、必要情報を音声入力してコンピュータが認識可能なテキストデータに変換する音声入力手段と、この音声入力手段により変換されたテキストデータをＲＦＩＤタグに記録可能な電子データに変換して記録するＲＦＩＤタグ記録手段と、このＲＦＩＤタグ記録手段により発行されたＲＦＩＤタグの電子データを読み取る読取手段と、音声入力手段により変換されたテキストデータと読取手段により読み取られた電子データとを比較するデータ比較手段と、を備えているので、最も手間と時間を要するデータ入力作業を自動化することにより、作業効率の向上と入力ミスを低減することができる。
【０００６】
請求項３は、前記データ比較手段により前記テキストデータと電子データとを比較した結果、前記テキストデータと電子データのデータ内容が一致した場合、当該電子データが記録されているＲＦＩＤタグを発行可とすることを特徴とする。
文字認識手段又は音声入力手段により変換されたデータは、表示手段を見ながら修正が可能である。しかし、ＲＦＩＤタグに記録されたデータは目視により視認することができない。従って、文字認識手段又は音声入力手段により変換されたデータとＲＦＩＤタグに記録されたデータを比較するためには、一旦何らかの方法でＲＦＩＤタグに記録されたデータを読み取る必要がある。例えば、リーダライタにより読み取り、そのデータ同士を比較してデータ内容が一致しているか否かを判定する。そして判定の結果、一致していれば正しく記録されたとしてそのＲＦＩＤタグの発行を許可するものである。
かかる発明によれば、データ比較手段によりテキストデータと電子データとを比較した結果、この両データのデータ内容が一致した場合、当該電子データが記録されているＲＦＩＤタグを発行可とするので、文字認識手段又は音声入力手段により変換された正しいデータをＲＦＩＤタグに記録することができる。
請求項４は、前記文字認識手段又は音声入力手段により変換されたテキストデータを表示する表示手段と、該表示手段に表示されたテキストデータを修正する修正手段と、を更に備えたことを特徴とする。
文字認識手段又は音声入力手段により変換された文字は、全ての文字を正確に変換するとは限らない。いずれにしても変換結果は一旦表示手段に表示される。そしてオペレータはその表示内容を見て、変換間違いの部分をキーボード等を使用して修正することができる。
かかる発明によれば、文字認識手段又は音声入力手段により変換されたテキストデータを表示する表示手段と、この表示手段に表示されたテキストデータを修正する修正手段と、を更に備えたので、表示手段を見ながら変換間違いの部分を修正することができ、変換する正解率を更に高くすることができる。
【発明の効果】
【０００７】
請求項１の発明によれば、必要情報が記載された文書を光学的に読み取り、コンピュータが認識可能なテキストデータに変換する文字認識手段と、この文字認識手段により変換されたテキストデータをＲＦＩＤタグに記録可能な電子データに変換して記録するＲＦＩＤタグ記録手段と、このＲＦＩＤタグ記録手段により発行されたＲＦＩＤタグの電子データを読み取る読取手段と、文字認識手段により変換されたテキストデータと読取手段により読み取られた電子データとを比較するデータ比較手段と、を備えているので、最も手間と時間を要するデータ入力作業を自動化することにより、作業効率の向上と入力ミスを低減することができる。
また請求項２では、必要情報を記録したＲＦＩＤタグを発行するＲＦＩＤタグ発行システムであって、必要情報を音声入力してコンピュータが認識可能なテキストデータに変換する音声入力手段と、この音声入力手段により変換されたテキストデータをＲＦＩＤタグに記録可能な電子データに変換して記録するＲＦＩＤタグ記録手段と、このＲＦＩＤタグ記録手段により発行されたＲＦＩＤタグの電子データを読み取る読取手段と、音声入力手段により変換されたテキストデータと読取手段により読み取られた電子データとを比較するデータ比較手段と、を備えているので、最も手間と時間を要するデータ入力作業を自動化することにより、作業効率の向上と入力ミスを低減することができる。
また請求項３では、データ比較手段によりテキストデータと電子データとを比較した結果、この両データのデータ内容が一致した場合、当該電子データが記録されているＲＦＩＤタグを発行可とするので、文字認識手段又は音声入力手段により変換された正しいデータをＲＦＩＤタグに記録することができる。
また請求項４では、文字認識手段又は音声入力手段により変換されたテキストデータを表示する表示手段と、この表示手段に表示されたテキストデータを修正する修正手段と、を更に備えたので、表示手段を見ながら変換間違いの部分を修正することができ、変換する正解率を更に高くすることができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態のＲＦＩＤタグ用リーダライタの構成を示すブロック図である。このＲＦＩＤタグ用リーダライタ１００は、外部にありリーダライタ１００に対してデータの授受を行ってシステム全体を制御するコンピュータ（上位機器）５０と、外部のコンピュータ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＲＦＩＤタグとの電力用搬送波とデータの授受をするループアンテナ９とを備えて構成されている。
【０００９】
次に、本構成によるリーダライタ１００の動作を説明する前に、対を成すＲＦＩＤタグの構成を先に説明しておく。図２は、本発明の実施形態のＲＦＩＤタグの構成を示すブロック図である。本実施形態のＲＦＩＤタグ２００は、リーダライタ１００からの電力用搬送波によりデータの授受をするループアンテナ２０と、書き込みコマンド読み出しコマンドを生成する送受信回路２１と、ループアンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＲＦＩＤタグ２００の全体の動作を制御する制御回路２６と、を備えて構成されている。
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＲＦＩＤタグ２００に供給する電力供給用信号と、ポーリング信号を交互に電力増幅器７から送信する。その信号は、ループアンテナ９から電磁波として外部に放射される。次に、ＲＦＩＤタグ２００がリーダライタ１００に近接すると、ループアンテナ２０が電力供給用信号を受信し、電力生成回路２２によりその搬送波を整流して直流電力に変換して、タグ内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してループアンテナ２０から送信する。このレスポンスをリーダライタ１００がループアンテナ９で受信して、検波復調器８で２値化コードに変換し、制御回路２により解析してＲＦＩＤタグ２００が規格に合致したタグであると認識する。それにより、以後リーダライタ１００とＲＦＩＤタグ２００の間でポーリングが行われる。
【００１０】
図３は本発明の実施形態のＲＦＩＤタグ発行システムの構成を示すブロック図である。同じ構成要素には同じ参照番号を付して説明する。このＲＦＩＤタグ発行システム３００は、物品を管理する上で必要な管理情報が記載された文書（例えばタイトルデータ３０）を光学的に読み取り、コンピュータが認識可能なテキストデータに変換するＯＣＲ（文字認識手段）３１と、必要情報が記載された文書（例えばタイトルデータ３０）をオペレータがマイクロフォン等により音声入力してテキストデータに変換する音声入力部（音声入力手段）３６と、このＯＣＲ３１又は音声入力部３６により変換されたテキストデータをモニタ３２に表示したり、システム全体を制御するＰＣ３３と、ＯＣＲ３１又は音声入力部３６により変換されたテキストデータをＲＦＩＤタグ２００に記録可能な電子データ（例えばＡＳＣＩＩコード）に変換して記録するタグ発行機（ＲＦＩＤタグ記録手段）３５と、このタグ発行機３５により発行されたＲＦＩＤタグ２００の電子データを読み取るリーダライタ（読取手段）１００と、ＯＣＲ３１又は音声入力部３６により変換されたテキストデータ３８とリーダライタ１００により読み取られた読取データ３７とを比較する比較器（データ比較手段）３４と、を備えて構成される。
尚、本実施形態ではＯＣＲ３１が文字を直接認識しているが、ＯＣＲ３１の代わりにスキャナにより読み取ったデータを、ＰＣ３３のメモリに記憶した認識プログラムによりＰＣ３３が文字を認識するようにしても良い。また、音声入力部３６が音声を直接テキストデータに変換しているが、音声入力部３６の代わりにマイクロフォンにより入力した音声信号をＡ／Ｄ変換して、ＰＣ３３のメモリに記憶した変換プログラムによりＰＣ３３が文字に変換するようにしても良い。またタグ発行機３５がテキストデータから電子データに変換しているが、ＰＣ３３がテキストデータから電子データに変換してタグ発行機３５に送信しても構わない。また、比較器３４はテキストデータとＡＳＣＩＩコードを比較する構成であるが、同じデータに変換後、そのデータの内容を比較することはいうまでもない。
【００１１】
次に本発明の実施形態のＲＦＩＤタグ発行システム３００の概略動作についてＯＣＲ３１を使用した場合について説明する。オペレータはＲＦＩＤタグ２００に記憶するデータを入力する代わりに、そのデータが印刷されている紙をＯＣＲ３１にセットする。ＯＣＲ３１は読み取ったデータを文字認識してテキストデータに変換する。ＰＣ３３はそのテキストデータをメモリに記憶すると共に、モニタ３２にその内容を表示する。オペレータはその表示内容を見ながら文字認識に誤りがあれば、図示しないキーボード等からその文字を修正する。当然修正された文字はメモリに上書きされて記憶される。そしてデータの入力動作が完了すると、オペレータはＲＦＩＤタグ２００の発行を指示する。するとＰＣ３３はその指示に従ってテキストデータをタグ発行機３５に送信する。タグ発行機３５はＲＦＩＤタグ２００に記録可能なＡＳＣＩＩコードに変換してＲＦＩＤタグ２００に記録する。
ここまでは、ＲＦＩＤタグ２００に一方的に入力データを記録したわけであるが、本実施形態では、ＲＦＩＤタグ２００に記録された入力データが正しく記録されているか否かを確認する手段を備えている。即ち、ＲＦＩＤタグ２００を１枚単位で発行するのであれば左程大きな弊害にならないが、同じ入力データのＲＦＩＤタグ２００を大量に発行する場合、入力データと異なるデータがＲＦＩＤタグ２００に記録されてしまうと後で入力し直さなければならず、無駄な時間を消費することになる。そこで本実施形態では、ＲＦＩＤタグ２００に記録されたデータを一旦リーダライタ１００で読み取り、その読取データ３７とＰＣ３３に記憶されているテキストデータ３８とを比較器３４で比較して、一致していれば例えばＯＫランプ３９を表示してオペレータに通報する。もし、一致していなければ例えばＮＧランプ５０を表示して再度テキストデータを記録し直して再チェックを行う。
【００１２】
図４は本発明の実施形態のＲＦＩＤタグ発行システム３００の動作フローチャートである。本実施形態ではＯＣＲ３１を使用した場合について図３を参照して説明する。オペレータはＲＦＩＤタグ２００に記憶するタイトルデータを入力する代わりに、そのタイトルデータが印刷されている用紙３０をＯＣＲ３１にセットして用紙３０に印刷されているタイトルデータを読み取る（Ｓ１）。ＯＣＲ３１は読み取ったデータを文字認識し（Ｓ２）、全ての文字の認識処理が完了するまで繰り返す（Ｓ３）。尚、文字認識の方法は公知のアルゴリズムに基づいた方法であれば、どのような方法でも構わない。そして文字認識処理が全て完了すると（Ｓ３でＹＥＳのルート）、ＰＣ３３はテキストデータに変換してメモリに記憶すると共に、モニタ３２にその内容を表示する（Ｓ４）。オペレータはその表示内容を見ながら修正部分があるか否かをチェックし（Ｓ５）、文字認識に誤りがあれば（Ｓ５でＹＥＳのルート）、図示しないキーボード等からその文字を修正する（Ｓ１３）。当然修正された文字はメモリに上書きされて記憶される。そして修正部分がなくなり入力するデータが終了する（Ｓ５でＮＯのルート）と、オペレータはＲＦＩＤタグの発行を指示する。するとＰＣ３３はその指示に従ってテキストデータをタグ発行機３５に送信する（Ｓ６）。タグ発行機３５はＲＦＩＤタグ２００に記録可能なＡＳＣＩＩコードに変換してＲＦＩＤタグ２００に記録する（Ｓ７）。
【００１３】
次にＲＦＩＤタグを１枚単位で発行するのであれば左程大きな弊害にならないが、同じ入力データのＲＦＩＤタグを大量に発行する場合、入力データと異なるデータがＲＦＩＤタグに記録されてしまうと後で入力し直さなければならず、無駄な時間を費やすことになる。そこで本実施形態では、ＲＦＩＤタグ２００に記録されたデータを一旦リーダライタ１００で読み取り（Ｓ８）、そのデータとＰＣ３３に記憶されているテキストデータとを比較器３４で比較して（Ｓ９）、一致していれば（Ｓ１０でＹＥＳのルート）例えばＯＫランプ３９を表示してオペレータに通報する（Ｓ１１）。もし、一致していなければ（Ｓ１０でＮＯのルート）例えばＮＧランプ５０を表示してオペレータに通報して（Ｓ１２）ステップＳ６に戻り、再度テキストデータを記録し直して再チェックを行う。
尚、本実施形態ではデータ入力手段としてＯＣＲ３１を使用したが、オペレータがタイトルデータ３０を見ながら、音声入力手段３６により音声を入力してその音声からテキストデータに変換する方法でも構わない。また、比較器３４の結果をランプ表示するように説明したが、他の方法、例えばモニタ３２に比較結果を表示しても良いし、音声により通報する方法でも構わない。
【図面の簡単な説明】
【００１４】
【図１】本発明の一実施形態のＲＦＩＤタグ用リーダライタの構成を示すブロック図。
【図２】本発明の実施形態のＲＦＩＤタグの構成を示すブロック図。
【図３】本発明の実施形態のＲＦＩＤタグ発行システムの構成を示すブロック図。
【図４】本発明の実施形態のＲＦＩＤタグ発行システムの動作フローチャート。
【図５】従来のＲＦＩＤタグ発行システムの一例を示す構成図。
【符号の説明】
【００１５】
３０  必要情報が記載された文書、３１  ＯＣＲ、３２  モニタ、３３  ＰＣ、３４  比較器、３５  タグ発行機、３６  音声入力部、３７  読取データ、３８  テキストデータ、３９  ＯＫランプ、５０  ＮＧランプ、１００  リーダライタ、２００  ＲＦＩＤタグ、３００  ＲＦＩＤタグ発行システム
【図１】
2005276127.tif 000003
【図２】
2005276127.tif 000004
【図３】
2005276127.tif 000005
【図４】
2005276127.tif 000006
【図５】
2005276127.tif 000007